(57)【要約】【課題】  裏面ケースに対して表面ケースだけを他のデザインのものと交換可能に取り付けられるようにして、種々のデザインの補助ロック装置を安価に製作できるようにする。【解決手段】  本発明の引き戸の補助ロック装置１は、室外側の引き戸３３の横桟３６に室内から当接する第一拡張片３と、戸枠３６の室内段差３５に当接する第二拡張片４と、第一拡張片３を先端部に一体に有しかつこの第一拡張片３との相対間隔を変更できるように第二拡張片４が移動自在に設けられたケーシング２と、第二拡張片４を移動させるための操作手段５とを備えている。上記ケーシング２は、当該ケーシング２の表面部分を構成する表面ケース１０と、同ケーシング２の裏面部分を構成しかつ第二拡張片４が貫通状に挿通されたガイド孔１４を有する裏面ケース１１とを有している。そして、第一拡張片３が表面ケース１０と別部材となるように当該第一拡張片３が裏面プレート１１の先端部に一体に取り付けられている。【選択図】      図５
2006144516.tif 000002
【特許請求の範囲】
【請求項１】
室外側の引き戸の横桟に室内から当接する第一拡張片と、戸枠の室内段差に当接する第二拡張片と、前記第一拡張片を先端部に一体に有しかつこの第一拡張片との相対間隔を変更できるように前記第二拡張片が移動自在に設けられたケーシングと、前記第二拡張片を移動させるための操作手段とを備えており、前記ケーシングが、当該ケーシングの表面部分を構成する表面ケースと、同ケーシングの裏面部分を構成しかつ前記第二拡張片が貫通状に挿通されたガイド孔を有する裏面ケースとを有している引き戸の補助ロック装置において、
前記第一拡張片が前記表面ケースと別部材となるように当該第一拡張片が前記裏面プレートの先端部に一体に取り付けられていることを特徴とする引き戸の補助ロック装置。
【請求項２】
前記第一拡張片は、前記裏面ケースよりも表面側に突出する上方部分と、同裏面ケースよりも裏側に突出する下方部分とからなる請求項１に記載の引き戸の補助ロック装置。
【請求項３】
前記表面ケースの先端部が前記第一拡張片の上方部分に対して表裏方向の動きが規制された状態で引っ掛けられ、この状態で前記表面ケースと前記裏面ケース同士がねじ止めによって固定されている請求項２に記載の引き戸の補助ロック装置。
【発明の詳細な説明】
【技術分野】
【０００１】  本発明は、本来の錠装置とは別に室内外の両引き戸を補助的にロックするための引き戸の補助ロック装置に関する。
【背景技術】
【０００２】  例えば、建物の窓部や玄関を構成するアルミサッシは、戸枠に設けた内外二列のレールに室内外の引き戸を走行自在に設けることによって構成され、これら室内外の引き戸の施錠は、一般に、両引き戸を閉鎖したときに戸枠の中央で重なり合う縦桟同士をいわゆるクレセント錠で固定することによって行われる。【０００３】  しかし、上記クレセント錠は、引き戸のガラスの一部を割って手を入れることで簡単に解錠される恐れがあるため、引き戸の防犯性をより向上させるべく、本来の錠装置とは別に補助ロック装置を設けることがある。
このような補助ロック装置として、室外側の引き戸の横桟に室内から当接する第一拡張片と、戸枠の室内段差に当接する第二拡張片と、前記第一拡張片を先端部に一体に有しかつこの第一拡張片との相対間隔を変更できるように前記第二拡張片が移動自在に設けられたケーシングと、前記第二拡張片を移動させるための操作手段とを備えたものがある（例えば、特許文献１〜３参照）。【０００４】  上記従来の補助ロック装置では、ケーシングは、当該ケーシングの表面部分を構成する表面ケースと、そのケーシングの裏面部分を構成しかつ第二拡張片が貫通状に挿通された裏面ケースとを有している。
そして、かかる従来の補助ロック装置によれば、両拡張片を室外側の引き戸と戸枠の室内段差の間に嵌め込んだ状態でケーシングを窓枠にセットしたあと、第二拡張片を室内側に移動させて両拡張片の間隔を拡げるように操作手段を操作すると、室外側の引き戸が第一拡張片に押圧されて開かないようになるとともに、室内側の引き戸はケーシングそのものが邪魔になって開かないようになり、室内外の両引き戸をロックすることができる。
【特許文献１】  実公平７−１２５９６号公報
【特許文献２】  特開２０００−６４６９９号公報
【特許文献３】  特開２００３−２９３６４７号公報
【発明の開示】
【発明が解決しようとする課題】
【０００５】  上記従来の補助ロック装置では、裏面側に突出する第一拡張片がケーシングの表面ケースに一体に取り付けられている。このため、ケーシングの表面の色彩や模様等のデザインが異なる複数種類の補助ロック装置を製作するためには、第一拡張片ごと表面ケースを他のデザインのものと交換する必要があるので、種々のデザインの補助ロック装置を製作するのに製作コストが高くなるという欠点がある。【０００６】  また、第一拡張片を表面ケースに一体に取り付けた場合には、それらの連結部分が第一拡張片の上端に位置することになるが、これでは第一拡張片が横桟から受けた面圧に伴う曲げ応力がその連結部分に集中するため、特に両拡張片を拡げる方向に操作手段を締め付け過ぎた場合に過大な曲げ応力が当該連結部分に発生し、補助ロック装置が早期に損傷することがある。【０００７】  そこで、本発明の課題は、裏面ケースに対して表面ケースだけを他のデザインのものと交換可能に取り付けられるようにして、種々のデザインの補助ロック装置を安価に製作できるようにする点にある。
また、本発明の別の課題は、第一拡張片の連結部分に過大な曲げ応力が発生するのを防止して、補助ロック装置の耐久性を向上できるようにする点にある。
【課題を解決するための手段】
【０００８】  本発明は、前記した第一拡張片と第二拡張片と相対間隔を拡張又は縮小することで引き戸に着脱される引き戸の補助ロック装置において、前記第一拡張片がケーシングの表面ケースと別部材となるように当該第一拡張片がケーシングの裏面ケースの先端部に一体に取り付けられていることを特徴とする。
かかる本発明の補助ロック装置によれば、第一拡張片を裏面ケースの先端部に一体に取り付けることで、その第一拡張片が表面ケースと別部材となっているので、ケーシングの表面の色彩や模様等のデザインが異なる複数種類の補助ロック装置を製作するに当たって、裏面ケースに一体に取り付けられている第一拡張片を交換する必要がなく、表面ケースだけを他のデザインのものと交換すれば足りる。【０００９】  上記の本発明において、前記第一拡張片は、前記裏面ケースよりも表面側に突出する上方部分と、同裏面ケースよりも裏側に突出する下方部分とから構成することが好ましい。
この場合、第一拡張片と裏面ケースの連結部分が第一拡張片の上下方向中途部に位置することになるので、第一拡張片が横桟から受けた面圧に伴う曲げ応力がその連結部分に集中するのを防止することができる。【００１０】  また、上記の本発明において、前記表面ケースの先端部が前記第一拡張片の上方部分に対して表裏方向の動きが規制された状態で引っ掛けられ、この状態で前記表面ケースと前記裏面ケース同士がねじ止めによって固定されていることが好ましい。
この場合には、表面ケースと裏面ケースとを一体化してケーシングを製作するのに、表面ケースの先端部を第一拡張片の上方部分に引っ掛けた状態で表面ケースと裏面ケース同士をねじ止めするだけで足り、両ケースを一体化するために必要なねじ止め部分が極力少なくなるので、補助ロック装置の製作コストを低減することができる。
【発明の効果】
【００１１】  以上の通り、本発明によれば、裏面ケースに対して表面ケースだけを他のデザインのものと交換可能に取り付けることができるので、種々のデザインの補助ロック装置を安価に製作することができる。
また、本発明によれば、第一拡張片の連結部分に過大な曲げ応力が発生するのを防止できるので、補助ロック装置の耐久性を向上することができる。
【発明を実施するための最良の形態】
【００１２】  以下、図面を参照しつつ、本発明の実施の形態を説明する。
図１〜図５は本発明に係る補助ロック装置１を示している。
図１に示すように、本実施形態の補助ロック装置１は、鋼材等の金属材料を平面視ほぼ長方形状に形成してなるケーシング２と、このケーシング２の先端部に一体に突設された第一拡張片３と、この第一拡張片３に対して接近離反自在となるようにケーシング２に設けられた第二拡張片４と、この第二拡張片４を移動させるための操作手段５と、を備えている。【００１３】  第一及び第二拡張片３，４は、いずれもケーシング２の幅寸法にほぼ相当する長さを有する板材よりなり、ケーシング２の裏面側において互いに平行となるように同裏面側に突出して配置されている。
本実施形態では、上記第一及び第二拡張片３，４のうち、第一拡張片３の当接面側にゴムプレート等よりなる第一パッド７が固定され、第二拡張片４の当接面側に同じくゴムプレート等よりなる第二パッド８が固定されている。【００１４】  前記ケーシング２は、第一拡張片３とは別部材とされた裏面側が開放された表面ケース１０と、この表面ケース１０の裏面側開放部を施蓋する裏面ケース１１とを備えており、表面ケース１０の中央部分に形成された円形孔に回動プレート１２が回動自在に収納されている。
このケーシング２の内部には、上記回動プレート１２の回動に伴って表面ケース１０の長手方向（図２の左右方向）に移動するスライドプレート１３が設けられている。このスライドプレート１３の裏面側には前記第二拡張片４が突設されていて、この第二拡張片４は、前記裏面ケース１１の中央部に形成されたガイド孔１４（図４参照）に貫通状に挿通されてケーシング２の裏面側に突出している。【００１５】  図１〜図３に示すように、回動プレート１２の表面中央部には、操作つまみ１５に対する連結部として機能する係合溝１６が形成されており、この係合溝１６の底面中央部には工具阻害突起として機能する中央ピン１７が収納されている。他方、操作つまみ１５は、上記係合溝１６に丁度嵌まる外周断面を有する筒状の係合ボス部１９と、この係合ボス部１９に対して同軸芯状となるように一体に連結されたユーザーの手による掴み代となる掴み部２０とから構成されている。【００１６】  従って、操作つまみ１５の係合ボス部１９を係合溝１６に差し込んだ状態で同つまみ１５を回動することにより、回動プレート１２をケーシング２に対して相対回動させることができる。
なお、係合溝１６の中央部に前記中央ピン１７が設けられているので、ねじ回し等の工具を係合溝１６に差し込んで回動プレート１２を回動することはできず、専用の断面形状をした上記係合ボス部１９を有する当該操作つまみ１５でしか回動プレート１２を回動できないようになっている。【００１７】  図２に示すように、回動プレート１２の裏面には、同プレート１２の回動中心からの距離が漸次変化する渦巻き状に形成された螺旋リブ２１が一体に突設され、スライドプレート１３の表面には、同螺旋リブ２１に係合する複数の摺動片２２がケーシング２の長手方向に一定間隔おきに形成されている。
このため、回動プレート１２が回動されると螺旋リブ２１が各摺動片２２に順送りに噛み合い、これによってスライドプレート１３とその裏面側の第二拡張片４がケーシング２の長手方向に移動し、第二拡張片４の第一拡張片３に対する相対間隔が拡張又は縮小されるようになっている。【００１８】  しかして、本実施形態では、上記操作つまみ１５、回動プレート１２及びこれと螺旋カムを介して連動連結されたスライドプレート１３により、両拡張片３，４の相対間隔を拡張又は縮小するための前記操作手段５が構成されている。
図１及び図２に示すように、第一拡張片３は裏面ケース１１の先端部に一体に連結されており、これによって表面ケース１０とは別部材とされている。【００１９】  本実施形態では、裏面ケース１０の先端縁（図２の右端縁）は第一拡張片３の上下方向中間部分に一体に連結され、これにより、第一拡張片３が裏面ケース１１よりも表面側（図２の上側）に突出する上方部分２５と、その裏面ケース１１よりも裏側（図２の下側）に突出する下方部分２６とから構成されている。
前記表面ケース１０の先端縁には掛止突起２７（図２及び図４参照）が形成されており、この掛止突起２７を第一拡張片３の上方部分２５に設けた引っ掛け孔部に挿通することにより、表面ケース１０の先端部が第一拡張片３の上方部分２５に対する表裏方向の動きが規制されている。【００２０】  また、図４に示すように、裏面ケース１１の基端部（図４の左側端部）の中央部分には一本の固定ねじ２８が挿通されており、この固定ねじ２８を表面ケース１０の内部に一体に設けた固定筒部２９（図３参照）にねじ込むことにより、表面ケース１０と裏面ケース１１の基端部同士がねじ止めによって固定されている。
なお、図１、図３及び図４に示すように、本実施形態では、ケーシング２の表裏方向に貫通する取付スリット３０が当該ケーシング２の幅方向両端部に形成され、室内側の引き戸３２には取付ブラケット３１（図５参照）が固定されている。そして、このブラケット３１の爪部を上記取付スリット３０に挿通することで、補助ロック装置１を引き戸３２に搭載できるようになっている。【００２１】  次に、図５を参照しつつ、上記構成に係る補助ロック装置１の使用方法及び作用を説明する。
本実施形態の補助ロック装置１を使用するには、まず、操作つまみ１５を回動プレート１２に差し込んで、第二拡張片４を第一拡張片３に対してできるだけ近づける方向に回動プレート１２を回動し、両拡張片３，４を室外側の引き戸３３と戸枠３４の室内段差３５の間に嵌め込んだ状態でケーシング２を窓枠の下部にセットする。【００２２】  その後、第二拡張片４が第一拡張片３から離れる方向に操作つまみ１５を回動すると、第二拡張片４が第二パッド８を介して室内段差３５を押圧すると同時に、第一拡張片３が第一パッド７を介して室外側の引き戸３２の横桟３６を押圧し、これによって室外側の引き戸３３が開かないようになるとともに、室内側の引き戸３２はケーシング２そのものが邪魔になって開かないようになり、室内外の両引き戸３２，３３が同時にロックされることになる。
なお、上記のようにして補助ロック装置１をロックした後は、操作つまみ１５を回動プレート１２から取り外し、そのつまみ１５を侵入者の手が届かない場所に仕舞っておけばよい。【００２３】  上記した本実施形態の補助ロック装置１によれば、第一拡張片３を裏面ケース１１の先端部に一体に取り付けることで、その第一拡張片３が表面ケース１０と別部材となっているので、ケーシング２の表面の色彩や模様等のデザインが異なる複数種類の補助ロック装置１を製作する場合において、裏面ケース１１に一体に取り付けられている第一拡張片３を交換する必要がなく、表面ケース１０だけを他のデザインのものと交換すれば足りる。このため、種々のデザインの補助ロック装置１を安価に製作することができる。【００２４】  また、本実施形態の補助ロック装置１によれば、第一拡張片３と裏面ケース１０の連結部分が第一拡張片３の上下方向中途部に位置し、第一拡張片３が横桟３６から受ける面圧が第一拡張片３の上方部分２５と下方部分２６の双方に作用するようになっているので、その面圧に伴う曲げ応力が当該連結部分に集中するのを有効に防止することができる。
更に、本実施形態の補助ロック装置１によれば、表面ケース１０の先端縁に形成した掛止突起２７を第一拡張片３の上方部分２５に掛止させてから、表面ケース１０と裏面ケース１１の基端部同士をねじ止めするようにしたので、両ケース１０，１１を一体化するために必要なねじ止め部分を極力少なくでき、この点で補助ロック装置１の製作コストを低減することができる。【００２５】  なお、本発明は上記実施形態に限定されるものではない。
例えば、図５に示す使用例では、補助ロック装置１を窓枠の下部にセットした場合を例示しているが、同装置１を窓枠の上部にセットすることもできる。
また、特開２０００−６４６９９号の場合と同様に、前記第一及び第二拡張片３，４には、ゴムパッドではなく、引き戸３３や室内段差３５に設けた固定プレートのラック歯に噛み合う噛合歯を形成することにしてもよい。
【図面の簡単な説明】
【００２６】
【図１】  本発明に係る補助ロック装置１の斜視図である。
【図２】  同ロック装置の側面図である。
【図３】  同ロック装置の平面図である。
【図４】  同ロック装置の背面図である。
【図５】  本発明に係る補助ロック装置の使用例を示す窓枠の下部の断面図である。
【符号の説明】
【００２７】  １      補助ロック装置
２      ケーシング
３      第一拡張片
４      第二拡張片
５      操作手段
１０      表面ケース
１１      裏面ケース
１４      ガイド孔
２５      上方部分
２６      下方部分
２７      掛止突起
２８      固定ねじ
３２      引き戸（室内側）
３３      引き戸（室外側）
３４      戸枠
３５      室内段差
３６      横桟
【図１】
2006144516.tif 000003
【図２】
2006144516.tif 000004
【図３】
2006144516.tif 000005
【図４】
2006144516.tif 000006
【図５】
2006144516.tif 000007